(57)【要約】【課題】  本発明は、縁取りがされた多色の筆記線を連続的に描くことが可能なマーキングペンを提供することを目的とする。【解決手段】  少なくとも（ｉ）軸筒本体の先端から一部突出して設けられたペン先を有するインキ誘導芯、（ii）軸筒本体、及び（iii）軸筒本体の内部に配設された水溶性染料を水に溶解した水溶性インキと、該水溶性染料とは異なる色相を呈する油溶性染料を水に難溶又は不溶の有機溶媒に溶解した油溶性インキとを吸蔵する１つの吸蔵体を有するマーキングペンであって、該ペン先の先端近傍の半径方向の周縁部には主に油溶性インキが存在し、かつ該周縁部の内側部には主に水溶性インキが存在することを特徴とするマーキングペン。【選択図】  図１
2005119118.tif 000002
【特許請求の範囲】
【請求項１】
少なくとも（ｉ）軸筒本体の先端から一部突出して設けられたペン先を有するインキ誘導芯、（ii）軸筒本体、及び（iii）軸筒本体の内部に配設された水溶性染料を水に溶解した水溶性インキと、該水溶性染料とは異なる色相を呈する油溶性染料を水に難溶又は不溶の有機溶媒に溶解した油溶性インキとを吸蔵する１つの吸蔵体を有するマーキングペンであって、該ペン先の先端近傍の半径方向の周縁部には主に油溶性インキが存在し、かつ該周縁部の内側部には主に水溶性インキが存在することを特徴とするマーキングペン。
【請求項２】
インキ誘導芯が多数の繊維状物を収束して自己融着もしくは接着剤により部分的に接着して一体化し、その網目状空隙をインキ流路として形成する繊維体である請求項１に記載のマーキングペン。
【請求項３】
インキ誘導芯がポリエステル系繊維より作製された繊維状物である請求項１又は２に記載のマーキングペン。
【請求項４】
ポリエステル系繊維がポリエチレンテレフタレート繊維である請求項３に記載のマーキングペン
【請求項５】
インキ吸蔵体が、繊維をフィルム巻き、コーティング、自己溶着、もしくは硬化剤固定、又は繊維絡み合いのいずれかの１以上の方式で形成されるインキ吸蔵体であることを特徴とする請求項１乃至４のいずれかに記載のマーキングペン。
【請求項６】
インキ吸蔵体に油溶性インキと水溶性インキが混在していることを特徴とする請求項１乃至５のいずれかに記載のマーキングペン。
【請求項７】
ペン先形状がチゼル型である請求項１乃至６のいずれかに記載のマーキングペン。
【請求項８】
ペン先の幅が２〜８ｍｍである請求項７に記載のマーキングペン。
【請求項９】
マーキングペンが、油溶性インキの色彩、及び／又は油溶性インキと水溶性インキの混合した色彩で、水溶性インキの色彩又は水溶性インキに少量の油溶性インキが混合した色彩の両側に帯状に縁取りされた色彩の筆跡を連続的に描くことが可能な請求項７又は８に記載のマーキングペン。
【請求項１０】
ペン先形状がより長い傾斜部とより短い傾斜部を有するＶ字型形状である請求項１乃至６のいずれかに記載のマーキングペン。
【請求項１１】
より長い傾斜部の長さが２〜８ｍｍである請求項１０に記載のマーキングペン。
【請求項１２】
マーキングペンが、油溶性インキの色彩、及び／又は油溶性インキと水溶性インキの混合した色彩で、水溶性インキの色彩又は水溶性インキに少量の油溶性インキが混合した色彩の片側に帯状に縁取りされた色彩の筆跡を連続的に描くことが可能な請求項１０又は１１に記載のマーキングペン。
【請求項１３】
少なくとも軸筒本体の両端から一部突出して設けられた２つのペン先を有するインキ誘導芯を有するマーキングペンであって、一方のペン先形状がチゼル型であり、他方のペン先形状がより長い傾斜部とより短い傾斜部を有するＶ字型形状である請求項１乃至１２のいずれかに記載のマーキングペン。
【請求項１４】
少なくとも水溶性インキと油溶性インキのいずれか一方が蛍光性インキである請求項１乃至１３のいずれかに記載のマーキングペン。
【請求項１５】
有機溶媒が１種又は２種の有機溶媒の混合物である請求項１乃至１４のいずれかに記載のマーキングペン。
【請求項１６】
少なくとも軸筒本体の先端から一部突出して設けられるペン先を有するインキ誘導芯、油溶性インキ及び水溶性インキ、インキ吸蔵体、並びに該インキ吸蔵体が挿入可能な軸筒本体を有するマーキングペンの製造法であって、（ｉ）インキ吸蔵体に油溶性インキを吸蔵させ、（ii）しかる後インキ吸蔵体に水溶性インキを吸蔵させ、（iii）これらのインキをインキ誘導芯に浸透させることにより、該ペン先の先端近傍の半径方向の周縁部には主に油溶性インキを浸透させ、かつ該周縁部の内側部には主に水溶性インキを浸透させることを特徴とするマーキングペンの製造法。
【請求項１７】
（ｉ）インキ吸蔵体に油溶性インキを吸蔵させた後に少なくともインキ誘導芯の半径方向の周縁部に油溶性インキを浸透させ、（ii）しかる後インキ吸蔵体に水溶性インキを吸蔵させることを特徴とする請求項１６に記載のマーキングペンの製造法。
【請求項１８】
少なくとも軸筒本体の先端から一部突出して設けられるペン先を有するインキ誘導芯、油溶性インキ及び水溶性インキ、インキ吸蔵体、並びに該インキ吸蔵体が挿入可能な軸筒本体を有するマーキングペンの製造法であって、（ｉ）インキ吸蔵体に水溶性インキを吸蔵させ、（ii）しかる後インキ吸蔵体に油溶性インキを吸蔵させ、（iii）これらのインキをインキ誘導芯に浸透させることにより、該ペン先の先端近傍の半径方向の周縁部には主に油溶性インキを浸透させ、かつ該周縁部の内側部には主に水溶性インキを浸透させることを特徴とするマーキングペンの製造法。
【請求項１９】
少なくとも軸筒本体の先端から一部突出して設けられるペン先を有するインキ誘導芯、油溶性インキ及び水溶性インキ、インキ吸蔵体、並びに該インキ吸蔵体が挿入可能な軸筒本体を有するマーキングペンの製造法であって、（ｉ）インキ吸蔵体に水溶性インキと油溶性インキからなる混合インキを吸蔵させ、（ii）その後これらのインキをインキ誘導芯に浸透させることにより、該ペン先の先端近傍の半径方向の周縁部には主に油溶性インキを浸透させ、かつ該周縁部の内側部には主に水溶性インキを浸透させることを特徴とするマーキングペンの製造法。
【請求項２０】
油溶性インキと水溶性インキ、または水溶性インキと油溶性インキからなる混合インキをインキ吸蔵体の中央部に吸蔵させることを特徴とする請求項１６乃至１９のいずれかに記載のマーキングペンの製造法。
【請求項２１】
水溶性インキが水溶性染料を水に溶解した水溶性インキであり、油溶性インキが該水溶性染料とは異なる色相を呈する油溶性染料を水に難溶又は不溶の有機溶媒に溶解した油溶性インキであることを特徴とする請求項１６乃至２０のいずれかに記載のマーキングペンの製造法。
【請求項２２】
インキ誘導芯が多数の繊維状物を収束して自己融着もしくは接着剤により部分的に接着して一体化し、その網目状空隙をインキ流路として形成する繊維体である請求項１６乃至２１のいずれかに記載のマーキングペンの製造法。
【請求項２３】
インキ吸蔵体が、繊維をフィルム巻き、コーティング、自己溶着、もしくは硬化剤固定、又は繊維絡み合いのいずれかの１以上の方式で形成されるインキ吸蔵体であることを特徴とする請求項１６乃至２２のいずれかに記載のマーキングペンの製造法。
【発明の詳細な説明】
【技術分野】
【０００１】
本発明は、筆記具用多色マーキングペンとその製造法に関する。
更に詳しくは、水溶性インキ及び油溶性インキを貯蔵してなり、油溶性インキの色彩、及び／又は油溶性インキと水溶性インキの混合した色彩で、水溶性インキの色彩又は水溶性インキに少量の油溶性インキが混合した色彩の片側又は両側に帯状に縁取りされた色彩の筆跡を連続的に描くことが可能なマーキングペン、及びその製造法に関する。
【背景技術】
【０００２】
従来、筆記具用インキは、安定な単一色相を呈することが必要とされ、筆記具インキに使用される着色剤は、単独あるいは数種の顔料や染料を混合して調色されてきた。
一方、マーキングペンで色の異なる描線を引くために複数のペン先を備えたものも存在する。
例えば、互いに異色のインキを浸透する一対以上のインキ浸透部よりなる浸透部材を軸筒に内装し、該浸透部材の前記インキ浸透部に嵌入したそれぞれのチップの先端を導入して軸筒の先端に並設してなるマーキングペンが開示されている（特許文献１参照）。
縦方向に毛細管現象によりインキを流通させる微小スリットを貫通させた複数個の熱可塑性樹脂の押出成型によって得たペン先単体を、その先端部において相互に密着させて一体化しペン先とし、それぞれのペン先単体の末端部を介在させて一体化したインキ筒の先端部に接触させることを特徴する多色サインペンが開示されている（特許文献２参照）。
【０００３】
また、幅広描線用ペン先部と、幅狭描線用ペン先部とを一直線上の近接した位置に並設し、且つ書くペン先部の先端位置を面一となし、幅広描線用ペン先部と幅狭描線用ペン先部に夫々色の異なるインキを供給せしめることを特徴とするマーキングペン開示されている（特許文献３参照）。
【０００４】
【特許文献１】実開昭５５−２９２３７号公報
【特許文献２】実開昭５６−５０６８７号公報
【特許文献３】特開平１−２５８９９９号公報
【発明の開示】
【発明が解決しようとする課題】
【０００５】
しかし、上記いずれの先行技術も、ペン先の先端でペン先単体を接合しているか、近接した位置に並設されており、構造が複雑で、製造工程も多く、更に筆記する際のペン先の角度により単色となったり、複数の帯状の色の描線となったり、その筆記線が一定しづらいという不都合があった。
本発明は上記課題を解決して、油溶性インキの色彩、及び／又は油溶性インキと水溶性インキの混合した色彩で、水溶性インキの色彩又は水溶性インキに少量の油溶性インキが混合した色彩の片側又は両側に帯状に縁取りされた色彩の筆跡を連続的に描くことが可能なマーキングペン、及びその製造法を提供することを目的とする。
【課題を解決するための手段】
【０００６】
本発明者らは上記課題を解決するために鋭意検討した結果、油溶性インキと水溶性インキをそれぞれ別々にインキ吸蔵体に吸蔵させるか、油溶性インキと水溶性インキの混合インキをインキ吸蔵体に吸蔵させ、しかる後にこれらのインキをペン先を有するインキ誘導芯に浸透させることにより、安定的に縁取りがされた多色の筆記線を連続的に描くことが可能なことを見出し、本発明を完成させた。
【０００７】
すなわち、本発明は、少なくとも（ｉ）軸筒本体の先端から一部突出して設けられたペン先を有するインキ誘導芯、（ii）軸筒本体、及び（iii）軸筒本体の内部に配設された水溶性染料を水に溶解した水溶性インキと、該水溶性染料とは異なる色相を呈する油溶性染料を水に難溶又は不溶の有機溶媒に溶解した油溶性インキとを吸蔵する１つの吸蔵体を有するマーキングペンであって、該ペン先の先端近傍の半径方向の周縁部には主に油溶性インキが存在し、かつ該周縁部の内側部には主に水溶性インキが存在することを特徴とするマーキングペンに関する発明である。  
【０００８】
本発明のマーキングペンにおいては、更に、
（１）インキ誘導芯が多数の繊維状物を収束して自己融着もしくは接着剤により部分的に接着して一体化し、その網目状空隙をインキ流路として形成する繊維体であること、
（２）インキ誘導芯がポリエステル系繊維より作製された繊維状物であること、
（３）前記（２）のポリエステル系繊維がポリエチレンテレフタレート繊維であること、
（４）インキ吸蔵体が、繊維をフィルム巻き、コーティング、自己溶着、もしくは硬化剤固定、又は繊維絡み合いのいずれかの１以上の方式で形成されるインキ吸蔵体であること、
（５）インキ吸蔵体に油溶性インキと水溶性インキが混在していること、
【０００９】
（６）ペン先形状がチゼル型であること、
（７）前記（６）において、ペン先の幅が２〜８ｍｍであること、
（８）前記（６）及び（７）において、マーキングペンが、油溶性インキの色彩、及び／又は油溶性インキと水溶性インキの混合した色彩で、水溶性インキの色彩又は水溶性インキに少量の油溶性インキが混合した色彩の両側に帯状に縁取りされた色彩の筆跡を連続的に描くことが可能であること、
（９）ペン先形状がより長い傾斜部とより短い傾斜部を有するＶ字型形状であること、
（１０）前記（９）において、より長い傾斜部の長さが２〜８ｍｍであること、
（１１）前記（９）及び（１０）において、マーキングペンが、油溶性インキの色彩、及び／又は油溶性インキと水溶性インキの混合した色彩で、水溶性インキの色彩又は水溶性インキに少量の油溶性インキが混合した色彩の片側に帯状に縁取りされた色彩の筆跡を連続的に描くことが可能なこと、
（１２）少なくとも軸筒本体の両端から一部突出して設けられた２つのペン先を有するインキ誘導芯を有するマーキングペンであって、一方のペン先形状がチゼル型であり、他方のペン先形状がより長い傾斜部とより短い傾斜部を有するＶ字型形状であること、
（１３）少なくとも水溶性インキと油溶性インキのいずれか一方が蛍光性インキであること、
（１４）有機溶媒が１種又は２種の有機溶媒の混合物であること
が望ましい。
【００１０】
また、本発明は、以下の（イ）、（ロ）及び（ハ）に記載するマーキングペンの製造法に関する発明である。
（イ）少なくとも軸筒本体の先端から一部突出して設けられるペン先を有するインキ誘導芯、油溶性インキ及び水溶性インキ、インキ吸蔵体、並びに該インキ吸蔵体が挿入可能な軸筒本体を有するマーキングペンの製造法であって、（ｉ）インキ吸蔵体に油溶性インキを吸蔵させ、（ii）しかる後インキ吸蔵体に水溶性インキを吸蔵させ、（iii）これらのインキをインキ誘導芯に浸透させることにより、該ペン先の先端近傍の半径方向の周縁部には主に油溶性インキを浸透させ、かつ該周縁部の内側部には主に水溶性インキを浸透させることを特徴とするマーキングペンの製造法（製造法―１）。
（ロ）少なくとも軸筒本体の先端から一部突出して設けられるペン先を有するインキ誘導芯、油溶性インキ及び水溶性インキ、インキ吸蔵体、並びに該インキ吸蔵体が挿入可能な軸筒本体を有するマーキングペンの製造法であって、（ｉ）インキ吸蔵体に水溶性インキを吸蔵させ、（ii）しかる後インキ吸蔵体に油溶性インキを吸蔵させ、（iii）これらのインキをインキ誘導芯に浸透させることにより、該ペン先の先端近傍の半径方向の周縁部には主に油溶性インキを浸透させ、かつ該周縁部の内側部には主に水溶性インキを浸透させることを特徴とするマーキングペンの製造法（製造法―２）。
（ハ）少なくとも軸筒本体の先端から一部突出して設けられるペン先を有するインキ誘導芯、油溶性インキ及び水溶性インキ、インキ吸蔵体、並びに該インキ吸蔵体が挿入可能な軸筒本体を有するマーキングペンの製造法であって、（ｉ）インキ吸蔵体に水溶性インキと油溶性インキからなる混合インキを吸蔵させ、（ii）その後これらのインキをインキ誘導芯に浸透させることにより、該ペン先の先端近傍の半径方向の周縁部には主に油溶性インキを浸透させ、かつ該周縁部の内側部には主に水溶性インキを浸透させることを特徴とするマーキングペンの製造法（製造法―３）。
【００１１】
本発明のマーキングペンの製造法においては、更に、
（１）製造法―１において、（ｉ）インキ吸蔵体に油溶性インキを吸蔵させた後に少なくともインキ誘導芯の半径方向の周縁部に油溶性インキを浸透させ、（ii）しかる後インキ吸蔵体に水溶性インキを吸蔵させること、
（２）製造法―１〜３において、油溶性インキと水溶性インキ、または水溶性インキと油溶性インキからなる混合インキをインキ吸蔵体の中央部に吸蔵させること、
（３）製造法―１〜３において、水溶性インキが水溶性染料を水に溶解した水溶性インキであり、油溶性インキが該水溶性染料とは異なる色相を呈する油溶性染料を水に難溶又は不溶の有機溶媒に溶解した油溶性インキであること、
（４）製造法―１〜３において、インキ誘導芯が多数の繊維状物を収束して自己融着もしくは接着剤により部分的に接着して一体化し、その網目状空隙をインキ流路として形成する繊維体であること、
（５）製造法―１〜３において、インキ吸蔵体が、繊維をフィルム巻き、コーティング、自己溶着、もしくは硬化剤固定、又は繊維絡み合いのいずれかの１以上の方式で形成されるインキ吸蔵体であること
が望ましい。
【発明の効果】
【００１２】
本発明のマーキングは、構造が簡単であり、水溶性インキと水に難溶又は不溶の油溶性インキを使用することにより、油溶性インキの色彩、及び／又は油溶性インキと水溶性インキの混合した色彩で、水溶性インキの色彩又は水溶性インキに少量の油溶性インキが混合した色彩の片側又は両側に帯状に縁取りされた色彩の筆跡を連続的に描くことが可能である。
【発明を実施するための最良の形態】
【００１３】
本発明のマーキングペンは、少なくとも（ｉ）軸筒本体の先端から一部突出して設けられたペン先を有するインキ誘導芯、（ii）軸筒本体、及び（iii）軸筒本体の内部に配設された水溶性染料を水に溶解した水溶性インキと、該水溶性染料とは異なる色相を呈する油溶性染料を水に難溶又は不溶の有機溶媒に溶解した油溶性インキとを吸蔵する１つの吸蔵体を有するマーキングペンであって、該ペン先の先端近傍の半径方向の周縁部には主に油溶性インキが存在し、かつ該周縁部の内側部には主に水溶性インキが存在することを特徴とする。
本発明で使用するインキは、水溶性染料を水溶性溶媒に溶解した水溶性インキ、及び該水溶性染料とは異なる色相を呈する油溶性染料を水に難溶又は不溶の有機溶媒に溶解した油溶性インキからなる。
【００１４】
前記水溶性染料としては、水溶性であればとくに制限されるものではないが、一般的に酸性染料、塩基性染料、直接染料等を例示することができる。
尚、水溶性溶媒は、水のみならず、水と水溶性溶媒であるプロピレングリコール、エチレングリコール、又はグリセリン等のグリコール類との混合溶媒を使用することができる。
具体的には、オリエント化学（株）製の酸性染料と直接染料に属する水溶性染料として、WATER  YELLOW  1、WATER  YELLOW  2、WATER  YELLOW  6、WATER  ORANGE  18、WATER  RED  1、WATER  RED  2、WATER  RED  3、WATER  RED  9、WATER  RED  27、WATER  BROWN  16、WATER  PINK  2、WATER  GREEN  8、WATER  GREEN  15、WATER  BLUE  3、WATER  BLUE  9、WATER  BLUE  105、WATER  VIOLET  7、WATER  BLACK  31、WATER  BLACK  100-L、WATER  BLACK  187-LM、WATER  BLACK  R-455、WATER  BLACK  R-456、WATER  BLACK  R-500、WATER  BLACK  R-510が挙げられる。
【００１５】
その他、酸性染料の例としてC.I.アシッドイエロー（Acid  Yellow） 1、C.I.アシッドイエロー  7、C.I.アシッドイエロー  17、C.I.アシッドイエロー  19、C.I.アシッドイエロー  23、C.I.アシッドイエロー  25、C.I.アシッドイエロー  29、C.I.アシッドイエロー  38、C.I.アシッドイエロー  42、C.I.アシッドイエロー  49、C.I.アシッドイエロー  61、C.I.アシッドイエロー  72、C.I.アシッドオレンジ（Acid  Orange）  7、C.I.アシッドレッド（Acid  Red）  1、C.I.アシッドレッド  8、C.I.アシッドレッド  9、C.I.アシッドレッド  13、C.I.アシッドレッド  14、C.I.アシッドレッド  18、C.I.アシッドレッド  26、C.I.アシッドレッド  27、C.I.アシッドレッド  35、C.I.アシッドレッド  37、C.I.アシッドレッド  51、C.I.アシッドレッド  52、C.I.アシッドレッド  57、C.I.アシッドレッド  82、C.I.アシッドレッド  87、C.I.アシッドレッド  92、C.I.アシッドレッド  94、C.I.アシッドレッド  115、C.I.アシッドレッド  129、C.I.アシッドレッド  131、C.I.アシッドバイオレット（Acid  Violet）  7、C.I.アシッドバイオレット  17、C.I.アシッドバイオレット  18、C.I.アシッドブルー（Acid  Blue）  1、C.I.アシッドブルー  7、C.I.アシッドブルー  9、C.I.アシッドブルー  22、C.I.アシッドブルー  23、C.I.アシッドブルー  25、C.I.アシッドブルー  40、C.I.アシッドブルー  41、C.I.アシッドブルー  43、C.I.アシッドブルー  62、C.I.アシッドブルー  74、C.I.アシッドブルー  78、C.I.アシッドブルー  90、C.I.アシッドグリーン（Acid  Green）  3、C.I.アシッドグリーン  7、C.I.アシッドグリーン  9、C.I.アシッドグリーン  16、C.I.アシッドブラウン（Acid  Brown）39等が挙げられる。
【００１６】
塩基性染料の例としてC.I.ベイシックイエロー（Basic  Yellow）  1、C.I.ベイシックイエロー  2、C.I.ベイシックイエロー  21、C.I.ベイシックイエロー  25、C.I.ベイシックオレンジ（Basic  Orange）  2、C.I.ベイシックオレンジ  14、C.I.ベイシックオレンジ  32、C.I.ベイシックレッド（Basic  Red）  1、C.I.ベイシックレッド  2、C.I.ベイシックレッド  9、C.I.ベイシックレッド  14、C.I.ベイシックバイオレット（Basic  Violet）  3、C.I.ベイシックブルー（Basic  Blue）  1、C.I.ベイシックブルー  9、C.I.ベイシックブラウン（Basic  Brown）12等が挙げられる。
【００１７】
直接染料としてC.I.ダイレクトイエロー（Direct  Yellow）  4、C.I.ダイレクトイエロー  26、C.I.ダイレクトイエロー  44、C.I.ダイレクトイエロー  50、C.I.ダイレクトレッド（Direct  Red）  1、C.I.ダイレクトレッド  4、C.I.ダイレクトレッド  23、C.I.ダイレクトレッド  31、C.I.ダイレクトレッド  37、C.I.ダイレクトレッド  39、C.I.ダイレクトレッド  75、C.I.ダイレクトレッド  80、C.I.ダイレクトレッド  81、C.I.ダイレクトレッド  83、C.I.ダイレクトレッド  225、C.I.ダイレクトレッド  226、C.I.ダイレクトレッド  227、C.I.ダイレクトバイオレット（Direct  Violet）  9、C.I.ダイレクトブルー（Direct  Blue）  1、C.I.ダイレクトブルー  2、C.I.ダイレクトブルー  15、C.I.ダイレクトブルー  71、C.I.ダイレクトブルー  86、C.I.ダイレクトブルー  106、C.I.ダイレクトブルー  119、C.I.ダイレクトグリーン（Direct  Green）  30、C.I.ダイレクトブラック（Direct  Black）  154、C.I.ダイレクトブラック（Direct  Black）  187等が挙げられる。
更に水溶性蛍光染料として、バイエル社製のpyranin、日本化薬（株）製のKayacryl  Brilliant  flavine  10G-ed、Kayarus  Light  Yellow  F8G、Kayalon  Polyester  Flrine  GL-SF、KayacrylRhodamine  FB、住友化成（株）製のSumikaron  Byilliant  Flavine  S-10Gが例示できる。
本発明において、水溶性インキは蛍光性インキであることが望ましい。
水溶性インキの粘度は、１〜３０ｍＰａ・ｓｅｃ程度が望ましい。
【００１８】
前記油溶性染料として油溶性であれば特に制限されるものではないが、具体的には下記のものが例示できる。
オリエント化学（株）製の油溶性染染料として、
OIL  YELLOW  105、OIL  YELLOW  107、OIL  YELLOW  129、OIL  YELLOW  3G、OIL  YELLOW  GG-S、OIL  ORANGE  201、OIL  ORANGE  PS、OIL  ORANGE  PR、OIL  RED  5B、OIL  RED  RR、OIL  RED  OG、OIL  SCARLET  308、OIL  PINK  312、OIL  BROWN  BB、OIL  BROWN  GR、OIL  BROWN  416、OIL  GREEN  502、OIL  GREEN  BG、OIL  BLUE  613、OIL  BLUE  2N、OIL  BLUE  BOS、OIL  BLACK  HBB、OIL  BLACK  860、OIL  BLACK  BSなどが挙げられる。
オリエント化学（株）製の他の油溶性染染料として、
VALIFAST  YELLOW  1011、VALIFAST  YELLOW  1151、VALIFAST  YELLOW  3108、VALIFAST  YELLOW  3150、VALIFAST  YELLOW  4120、VALIFAST  ORANGE  2210、VALIFAST  ORANGE  3209、VALIFAST  ORANGE  3210、VALIFAST  RED  1306、VALIFAST  RED  1355、VALIFAST  RED  2303、VALIFAST  RED  3304、VALIFAST  RED  3306、VALIFAST  RED  3311、VALIFAST  RED  3312、VALIFAST  RED  3320、VALIFAST  PINK  2310Nなどが挙げられる。
また、保土ヶ谷化学（株）製の油溶性染染料として、
Aizen  Spilin  Yellow GRLH  special、Aizen  Spilin  Yellow  3RH  special、
Aizen Spilin  Orange  GRH  conc.special、Aizen  Spilin  Orange  2RH  special、Aizen  Spilin  Red  GFH  special、Aizen  Spilin  Red  GRLH  special、Aizen  Spilin  Red  BEH  special、Aizen  Spilin  Violet  RH  special、Aizen  Spilin  Blue  GNH、Aizen  Spilin  Blue  2BNH、Aizen  Spilin  Green  3GNH  special、Aizen  Spilin  Black  RLH  special、Aizen  Spilin  Black  BH special、Aizen  Spilin  Black  MH  specialなどが挙げられる。
本発明において、油溶性インキは、蛍光性インキであることが望ましい。
【００１９】
前記水に難溶又は不溶の有機溶媒としては、単独では水に難溶又は不溶で水と混和せずに相分離するものであることが必要とされる。
一方、有機溶媒が少なくとも２種以上の有機溶媒の混合物である場合には混合後に水溶性インキと油溶性インキが相分離すればよく、有機溶媒単独では水と相互溶解する溶媒を使用することも可能である。
尚、本発明においては、有機溶媒は１種又は２種が特に望ましい。
有機溶媒としては、イソブタノール、ヘキサノール、オクタノール等の脂肪族アルコール；ベンジルアルコール、２−フェノキシエタノール、クレゾール等の芳香族アルコール；酢酸エチル、酢酸ブチル、酢酸アミル、ノルマル酪酸ノルマルアミル、ネオペンチルポリオール脂肪酸エステル、脂肪酸トリグリセリド等の脂肪酸エステル；アセトン、メチルエチルケトン、メチルイソプロピルケトン、メチルイソブチルケトン、ジイソプロピルケトン等の脂肪族ケトン；トルエン、キシレン、エチルベンゼン等の芳香族炭化水素等が挙げられるがこれらに限定されることはない。
油溶性インキの粘度は、１〜３０ｍＰａ・ｓｅｃ程度が望ましい。
【００２０】
マーキングペンのインキの貯蔵に使用するインキ吸蔵体は、インキ吸蔵体方式の使用が好ましい。インキ吸蔵体方式は、例えば、公知のポリエチレンテレフタレート、ポリアクリロニトリル、ポリプロピレン等の繊維をフィルム巻き、コーティング、自己溶着、硬化剤固定、繊維絡み合い等の方式でインキ吸蔵体を形成してインキ貯蔵部内に装着し、インキをこれらの吸蔵体に吸蔵させる方式である。
尚、インキ吸蔵体は、例えば、特公昭５０−３７５７１号公報に開示されているような公知の方法により作製することができる。
尚、使用するポリエチレンテレフタレート、ポリアクリロニトリル、ポリプロピレン等の繊維により、これらのインキが吸蔵されていく速度、インキの混在状態に多少の相違はあるものの本発明においては特に問題にならない。
インキ吸蔵体の形状は、通常筒状であり、特にその外形形状に制限を受けるものではない。インキ吸蔵体は、その外側円周部を熱可塑性樹脂、例えばポリエチレン、ポリプロピレン等のシート・フィルム等で覆われている。
【００２１】
本発明の特徴の１つは、少なくとも１つのインキ吸蔵体の内部に仕切りを設けることなく、油溶性インキと水溶性インキを共存させることにある。該インキ吸蔵体における油溶性インキと水溶性インキの吸蔵状態は、例えば先に油溶性インキを吸蔵させた後に水溶性インキを吸蔵させるか、先に水溶性インキを吸蔵させた後に油溶性インキを吸蔵させるか、又は油溶性インキと水溶性インキの混合物を吸蔵させると、インキ吸蔵体の中をそれぞれのインキがインキ吸蔵体に吸蔵していくので、特に該吸蔵を特に制御等する必要はない。
尚、本発明では、１つのインキ吸蔵体を有することを特徴とするが、本発明のインキ吸蔵体と全く同様の作用・効果を有するインキ吸蔵体を単に複数設けたに過ぎないマーキングペンも当然に本発明のマーキングペンに含まれる。
【００２２】
これらのインキのうち水溶性インキがインキ吸蔵体に吸蔵していく速度が速いので、最初に水溶性インキを吸蔵させるか、油溶性インキと水溶性インキの混合物を吸蔵させると、水溶性インキが最初にインキ吸蔵体の全体に行き渡り、その後油溶性インキが徐徐にインキ吸蔵体に吸蔵されて全体に行き渡っていく。
本発明において、インキ吸蔵体内における油溶性インキと水溶性インキの存在状態は特に制限を受けるものではなく、混在していてもよく、また、インキ吸蔵体内において、該貯蔵部の半径方向の周縁部には油溶性インキが相対的に多く存在し、該周縁部の内側には水溶性インキが相対的に多く存在するように偏在していてもよい。
【００２３】
本発明のマーキングペンのインキ誘導芯は、公知のインキ誘導芯が使用でき、多数の繊維状物を収束して自己融着もしくは接着剤により部分的に接着して一体化し、その網目状空隙をインキ流路として形成する繊維体であることが望まし、例えば、特公昭５３−１６７３６号公報に開示されている繊維束ペン先の製造方法により作製することができる。
ペン先形状としては、図１に示すチゼル型、又はペン先形状がより長い傾斜部とより短い傾斜部を有するＶ字型形状が望ましい。
ペン先形状がチゼル型である場合には、ペン先の幅が２〜８ｍｍであることが望ましい。チゼル型形状のペン先を使用すると、マーキングペンが、油溶性インキの色彩、及び／又は油溶性インキと水溶性インキの混合した色彩で、水溶性インキの色彩又は水溶性インキに少量の油溶性インキが混合した色彩の両側に帯状に縁取りされた色彩の筆跡を連続的に描くことが可能となる。
一方、ペン先形状がより長い傾斜部とより短い傾斜部を有するＶ字型形状である場合には、より長い傾斜部の長さが２〜８ｍｍであることが望ましい。このようなＶ字型形状のペン先を使用すると、マーキングペンが、油溶性インキの色彩、及び／又は油溶性インキと水溶性インキの混合した色彩で、水溶性インキ又は水溶性インキに少量の油溶性インキが混合した色彩の片側に帯状に縁取りされた色彩の筆跡を連続的に描くことが可能となる。
【００２４】
本発明において、インキ誘導芯はインキ吸蔵体に少なくとも３ｍｍ以上、特に５ｍｍ以上挿入されているのが望ましい。
本発明で使用する油溶性インキと水溶性インキがインキ誘導芯内を浸透していく機構は定かではないが、インキ吸蔵体内に挿入されたインキ誘導芯の端面及びその周辺部から供給された水溶性インキは、主にインキ誘導芯の半径方向の周縁部より内側を流れてペン先の先端部に到達する傾向がある。
一方、インキ吸蔵体内に挿入されたインキ誘導芯の端面及びその周辺部から供給された油溶性インキは、主にインキ誘導芯の半径方向の周縁部を流れてペン先の先端部に到達する傾向がある。
尚、ペン先の先端近傍の半径方向の周縁部には主に油溶性インキが存在するが、使用するインキ誘導芯の種類、それぞれのインキの表面張力、インキの量、インキの粘度等により、油溶性インキ中に水溶性インキが混入してくる場合があり、また、ペン先の先端近傍の半径方向の周縁部の内側部には主に水溶性インキが存在するが、前記と同様の理由により水溶性インキ中に油溶性インキが少量混入してくる場合がある。
【００２５】
本発明で使用する軸筒本体の形状及びその材料は、特に制限を受けるものではなく通常のマーキングペンに使用されているものでよい。
本発明のマーキングペンにおいて、軸筒本体の両端にインキ誘導芯を有するマーキングペンとすることも可能である。
すなわち、少なくとも軸筒本体の両端から一部突出して設けられた２つのペン先を有するインキ誘導芯を有するマーキングペンであって、一方のペン先形状がチゼル型であり、他方のペン先形状がより長い傾斜部とより短い傾斜部を有するＶ字型形状であるマーキングペンとすることもできる。
【００２６】
次に本願発明のマーキングペンの具体的な例を以下に示す。尚、本願発明のマーキングペンは、これらの態様に何ら限定されるものではない。
図１に示すマーキングペンは、軸筒本体１の内部に位置する筒状のインキ吸蔵体３と、該インキ貯蔵部３に一部挿入して設けられている、ペン先４を有するインキ誘導芯２、尾栓５、及びキャップ６からなる。
尚、インキ吸蔵体３には、水溶性インキ及び油溶性インキが吸蔵されている。
インキ誘導芯２において、インキ貯蔵部３からペン先４方向にインキが浸透していく際に、該ペン先の先端近傍の半径方向の周縁部には油溶性インキが主に存在し、かつ該周縁部の内側部には水溶性インキが多く存在するようにインキ誘導芯内部を水溶性インキと油溶性インキが浸透していく。
インキ吸蔵体３は尾栓５内の内表面から半径方向の内側から伸び出すリブ７により保持されている。
また、軸筒本体１がインキ誘導芯を支持している部分に貫通孔を穿設することにより（図１には示していない）インキ貯蔵部と外気圧とを等しくすることができる。
インキ誘導芯のペン先はキャップ６により保護されている。
図１に示すマーキングペンは、構造が簡単であり、異なる色で縁取りされた帯状の色を連続的に描くことが可能である。
【００２７】
以下に本発明のマーキングペンの製造方法について説明する。
本発明のマーキングペンの製造方法として、具体的には下記の３方法が例示できる。
（製造法―１）
（ｉ）インキ吸蔵体に油溶性インキを吸蔵させ、（ii）しかる後インキ吸蔵体に水溶性インキを吸蔵させ、（iii）これらのインキをインキ誘導芯に浸透させることにより、該ペン先の先端近傍の半径方向の周縁部には主に油溶性インキを浸透させ、かつ該周縁部の内側部には主に水溶性インキを浸透させる。
（製造法―２）
（ｉ）インキ吸蔵体に水溶性インキを吸蔵させ、（ii）しかる後インキ吸蔵体に油溶性インキを吸蔵させ、（iii）これらのインキをインキ誘導芯に浸透させることにより、該ペン先の先端近傍の半径方向の周縁部には主に油溶性インキを浸透させ、かつ該周縁部の内側部には主に水溶性インキを浸透させる。
（製造法―３）
（ｉ）インキ吸蔵体に水溶性インキと油溶性インキからなる混合インキを吸蔵させ、（ii）その後これらのインキをインキ誘導芯に浸透させることにより、該ペン先の先端近傍の半径方向の周縁部には主に油溶性インキを浸透させ、かつ該周縁部の内側部には主に水溶性インキを浸透させる。
【００２８】
前記製造法―１〜３において、それぞれ水溶性インキと油溶性インキとは別別にインキ吸蔵体内に拡散していき、水溶性インキの拡散速度は速いので先に水溶性インキがインキ吸蔵体全体に行き渡り、数時間経ってから、油溶性インキがインキ吸蔵体全体に行き渡る傾向がある。その後一定時間経つとそれぞれのインキの存在位置は定常状態に至る。
尚、油溶性インキと水溶性インキ、または水溶性インキと油溶性インキからなる混合インキをインキ吸蔵体に吸蔵させる位置は特に制限されるものではないが、これらのインキの吸蔵体内の拡散を考慮するとインキ吸蔵体の中央部に吸蔵させるのが望ましい。
【００２９】
又、製造例−１においては、（ｉ）インキ吸蔵体に油溶性インキを吸蔵させた後に少なくともインキ誘導芯の半径方向の周縁部に油溶性インキを浸透させ、（ii）しかる後インキ吸蔵体に水溶性インキを吸蔵させるとより短時間で定常状態に到達する。
以下、実施例、比較例により本発明をより具体的に説明するが、本発明はこれら実施例に何ら限定されるものではない。
【実施例１】
【００３０】
図１に示す軸筒本体にチゼル型ペン先を有するインキ誘導芯を挿入した。
油溶性インキ液として、青色の油溶性染料（保土ヶ谷化学（株）製、商品名：SPT Blue GLSH）0.9０質量％、２−フェノキシエタノール87.1質量％、ベンジルアルコール12.0質量％からなるインキ液と、水性インキ液として黄色の水溶性染料（バイエル社製、商品名：pyranin）2質量％、蒸留水87.5質量％、プロピレングリコール10.0質量％、NaOH  0.1質量％、ベンゾイソチアゾリン系防腐剤0.4質量％からなるインキ液を調製した。
インキ吸蔵体（内径６ｍｍ、長さ９６ｍｍのポリプロピレン製筒状体内にポリエチレンテレフタレート製繊維を挿入したもの、（有）佐谷製作所製）のほぼ中央部に注入器を用いて、油溶性インキ液０．５ｍｌを注入した。
インキ誘導芯がインキ吸蔵体に５ｍｍ程度挿入されるようにインキ吸蔵体を軸筒本体にセットした。
ペン先の半径方向の周縁部に油溶性インキが浸透した約３０秒後に、注入器を用いて水溶性インキ２ｍｌをインキ吸蔵体のほぼ中央部に注入した。
【００３１】
次に軸筒本体に尾栓とキャップを装着した。装着してから約２０秒後に、ペン先の前記周縁部の内側に水溶性インキが浸透してきた。
尚、使用したマーキングペンのチゼル型ペン先幅は４ｍｍであり、インキ誘導芯は、ポリエチレンテレフタレート繊維体より作製されたものである（長さ：２７ｍｍ、ペン先先端近傍の径：４ｍｍ、オーベックス（株）製）
該マーキングペンを使用すると、水溶性インキの色である黄色の両側が青色ないし緑色で帯状に縁取りされた筆記線を連続的に描くことができた。
【実施例２】
【００３２】
実施例１で使用したペン先をチゼル型ペン先から、長い方の傾斜部が４ｍｍでより短い方の傾斜部が２ｍｍであるＶ字型形状を用いた以外は実施例１に記載したと同様の方法によりマーキングペンを作製した。
該マーキングペンを使用すると、水溶性インキの色である黄色の片側が青色ないし緑色で帯状に縁取りされた色の筆記線を連続的に描くことができた。
【実施例３】
【００３３】
実施例１で使用と同様の軸筒本体、及びチゼル型ペン先を有するインキ誘導芯を使用した。
インキ誘導芯がインキ吸蔵体に５ｍｍ程度挿入されるようにインキ吸蔵体を軸筒本体にセットした。
インキ吸蔵体（内径９・５ｍｍ、長さ６０ｍｍのポリプロピレン製筒状体内にポリエチレンテレフタレート製繊維を挿入したもの、（有）佐谷製作所製）のほぼ中央部に注入器を用いて、実施例１で使用した水溶性インキ２ｍｌを注入し、続いてインキ吸蔵体のほぼ中央部に実施例１で使用した油溶性インキ０．５ｍｌを注入した。次に軸筒本体に尾栓とキャップを装着した。
はじめにペン先全体に水溶性インキが浸透し、油溶性インキ注入の８時間後にペン先の周縁部に油溶性インキが浸透してきて使用可能となった。
該マーキングペンを使用すると、水溶性インキの色である黄色の両側が青色ないし緑色で帯状に縁取りされた筆記線を連続的に描くことができた。
【実施例４】
【００３４】
実施例１で使用と同様の軸筒本体、及びチゼル型ペン先を有するインキ誘導芯を使用した。
油溶性インキ液として、赤色の油溶性染料（保土ヶ谷化学（株）製、商品名：Spilon  Red  C-BH）0.5質量％、ベンジルアルコール99.5質量％からなるインキ液と、水性インキ液として黄色の水溶性染料（バイエル社製、商品名：pyranin）2質量％、蒸留水87.5質量％、プロピレングリコール10.0質量％、NaOH0.1質量％、ベンゾイソチアゾリン系防腐剤0.4質量％からなるインキ液を調製した。
前記油溶性インキ液０．５ｍｌと水性インキ液２ｍｌとを混合し、注入器を用いて該混合液を、実施例１で使用したと同じインキ吸蔵体のほぼ中央部に注入した。
前記インキ誘導芯がインキ吸蔵体に５ｍｍ程度挿入されるようにインキ吸蔵体を軸筒本体にセットした。
次に軸筒本体に尾栓とキャップを装着した。
インキ誘導芯がインキ吸蔵体に挿入されてから、約２０秒後にペン先全体に水性インキ液が先に浸透したが、更に８時間後、ペン先の半径方向の周縁部に油溶性インキが浸透した。
該マーキングペンを使用すると、水溶性インキの色である黄色の両側が赤色ないし橙色で帯状に縁取りされた筆記線を連続的に描くことができた。
【産業上の利用可能性】
【００３５】
本発明のマーキングペンは広く筆記用具として使用可能である。
【図面の簡単な説明】
【００３６】
【図１】本発明のマーキングペンの断面図
【符号の説明】
【００３７】
１  軸筒本体
２  インキ誘導芯
３  インキ吸蔵体
４  ペン先
５  尾栓
６  キャップ
７  インキ吸蔵体用リブ
【図１】
2005119118.tif 000003